(57)【特許請求の範囲】
【請求項１】
ＯＦケーブル接続部をその周囲に一定の避圧空間が形成されるようにトラフで囲むと共に、そのトラフの全外周面に直接帯状のアラミド繊維シートをロール状に巻き付けてその全外周面を均一に覆い、さらにそのアラミド繊維シートの全周囲を直接スリーブ状をしたアラミド繊維製の内側シートと外側シートとの二重シートからなる地絡防災シートで覆うようにしたことを特徴とするＯＦケーブル接続部の地絡防災方法。
【請求項２】
上記地絡防災シートは、その内側シートが上記ＯＦケーブル接続部の幅方向に延びる縫合部を有すると共に、上記外側シートが上記ＯＦケーブル接続部の長手方向に延びる縫合部を有し、かつこれら縫合部が互いに交差した状態となるようにしたものを用い、さらに縫合部は、多重に重ね合わせられると共に各重ね合わせ毎に縫い合わされて構成されたことを特徴とする請求項１に記載のＯＦケーブル接続部の地絡防災方法。
【請求項３】
上記地絡防災シートをさらに高気密性シートで覆うようにしたことを特徴とする請求項１又は２に記載のＯＦケーブル接続部の地絡防災方法。
【請求項４】
ＯＦケーブルのオフセット部をその周囲に一定の避圧空間が形成されるように可撓性のチューブで囲むと共に、そのチューブをスリーブ状をしたアラミド繊維製の内側シートと外側シートとの二重シートからなる地絡防災シートで覆い、更に上記地絡防災シートは、その内側シートが上記ＯＦケーブル接続部の幅方向に延びる縫合部を有すると共に、上記外側シートが上記ＯＦケーブル接続部の長手方向に延びる縫合部を有し、かつこれら縫合部が互いに交差した状態となるようにしたものを用い、さらに縫合部は、多重に重ね合わせられると共に各重ね合わせ毎に縫い合わされて構成されたことを特徴とするオフセット部の地絡防災方法。
【請求項５】
上記地絡防災シートをさらに高気密性シートで覆うようにしたことを特徴とする請求項４に記載のオフセット部の地絡防災方法。
【請求項６】
上記請求項１〜３のいずれかに記載のＯＦケーブル接続部の地絡防災方法と、上記請求項４又は５に記載のオフセット部の地絡防災方法を組み合わせて用いると共に、上記ＯＦケーブル接続部側のトラフのケーブル貫通口と上記オフセット部側のチューブ端部とを接続してそのトラフ内とチューブ内を相互に連通させるようにしたことを特徴とするＯＦケーブル接続部及びオフセット部における地絡防災方法。
【請求項７】
上記ＯＦケーブル接続部側の地絡防災シート端部と、上記オフセット部側の地絡防災シート端部とを互いに縫合して接続したことを特徴とする請求項６に記載のＯＦケーブル接続部及びオフセット部における地絡防災方法。
【発明の詳細な説明】
【０００１】
【発明の属する技術分野】
本発明は、ＯＦケーブル（油絶縁電力ケーブル）の接続部及びオフセット部における地絡防災方法に関するものである。
【０００２】
【従来の技術】
一般に、高圧の地中送電線として用いられているＯＦケーブルの接続部及びそのオフセット部には、地絡事故によって引き起こされる火災等の二次災害を未然に防ぐための防災機能が施されるようになっている。
【０００３】
例えば、図１０に示すように従来のＯＦケーブルの接続部やオフセット部は、箱型をしたＦＲＰ製のトラフａやゴム製の防災テープｂで覆われて気密性が確保されるようになっており、仮に地絡事故によってケーブルが着火した場合であってもそのトラフａや防災テープｂによる窒息効果によって直ちに消火し、火災の発生を未然に防止するようになっている。
【０００４】
また、この地絡事故発生時には、着火のみならず、爆風による周囲の急激な圧力上昇が発生することから、例えば、トラフａや防災テープｂの周囲をステンレスやアラミド等の高張力バンドｃによって等間隔に結束して補強することで爆風に対する耐圧性も同時に向上させるような工夫が施されている。
【０００５】
【発明が解決しようとする課題】
ところで、今後さらに超高圧のＯＦケーブルを採用した場合、それに伴って地絡事故時の爆風による圧力や着火力も大きくなるため、上述した工夫のみでは十分に二次災害を阻止できないおそれがある。
【０００６】
すなわち、地絡事故時に発生する爆風による圧力が大きくなると、接続部を覆うトラフａを結束する高張力バンドｃが破断してトラフａが開いてしまったり、オフセット部の防災テープｂに亀裂が生じてしまい、その結果、十分な窒息効果が得られなくなって着火が継続して火災に至る可能性がある。
【０００７】
そこで、本発明はこのような課題を有効に解決するために案出されたものであり、その目的は、大きな地絡事故が発生した場合であっても優れた耐圧性及び気密性を確保して十分な窒息効果を発揮することができる新規なＯＦケーブル接続部及びオフセット部における地絡防災方法を提供するものである。
【０００８】
【課題を解決するための手段】
上記課題を解決するために第一の発明は、ＯＦケーブル接続部をその周囲に一定の避圧空間が形成されるようにトラフで囲むと共に、そのトラフの全外周面に直接帯状のアラミド繊維シートをロール状に巻き付けてその全外周面を均一に覆い、さらにそのアラミド繊維シートの全周囲を直接スリーブ状をしたアラミド繊維製の内側シートと外側シートとの二重シートからなる地絡防災シートで覆うようにしたものである。
【０００９】
従って、先ずトラフの全外周面に直接帯状のアラミド繊維シートをロール状に巻き付けてその全外周面を均一に覆うことでトラフ全体が均一に補強されることになるため、従来の補強バンドを用いた場合に比べて爆圧を帯状のアラミド繊維シートで均一に受けることが可能となり、爆圧に対するトラフの耐圧性を向上させることができる。そして、さらにそのアラミド繊維シートの全周囲を直接スリーブ状をした内側シートと外側シートとの二重シートからなる地絡防災シートで覆うことで仮にこの爆風によって破損した場合であっても、この地絡防災シートによってその周囲の気密性が保たれて窒息効果が維持されるため、着火が発生しても直ちに消火され、火災に至ることがない。
【００１０】
第二の発明は、上記地絡防災シートは、その内側シートが上記ＯＦケーブル接続部の幅方向に延びる縫合部を有すると共に、上記外側シートが上記ＯＦケーブル接続部の長手方向に延びる縫合部を有し、かつこれら縫合部が互いに交差した状態となるようにしたものを用い、さらに縫合部は、多重に重ね合わせられると共に各重ね合わせ毎に縫い合わされて構成されたものである。すなわち、地絡事故時に発生する爆風による圧力は、上記地絡防災シートの幅方向のみならず長手方向にも加わるため、アラミド繊維製の縫合部の方向が互いに交差するような内側シートと外側シートから形成することにより、径方向のみならず長手方向にも対しても十分な強度を発揮することができる。この結果、トラフ及びアラミド繊維シートが破損するような極めて高い爆圧が加わっても地絡防災シートが破れるようなことはなくなり、優れた気密性を維持することができる。
【００１１】
第三の発明は、上記補強地絡防災シートをさらに高気密性シートで覆うようにしたものであり、これによって地絡防災シート自体の気密性をより高めることができる。
【００１２】
第四の発明は、ＯＦケーブルのオフセット部をその周囲に一定の避圧空間が形成されるように可撓性のチューブで囲むと共に、そのチューブをスリーブ状をしたアラミド繊維製の内側シートと外側シートとの二重シートからなる地絡防災シートで覆い、更に上記地絡防災シートは、その内側シートが上記ＯＦケーブル接続部の幅方向に延びる縫合部を有すると共に、上記外側シートが上記ＯＦケーブル接続部の長手方向に延びる縫合部を有し、かつこれら縫合部が互いに交差した状態となるようにしたものを用い、さらに縫合部は、多重に重ね合わせられると共に各重ね合わせ毎に縫い合わされて構成されたものである。これによって上記請求項１記載の発明と同様に、オフセット部で地絡事故が発生しても、その爆圧をチューブで形成された避圧空間に沿ってケーブルの長手方向に逃すことによってチューブの破損を防止できると共に、仮にチューブが破損した場合であっても、その周囲に覆われた地絡防災シートによってオフセット部の気密性が保たれて窒息効果が維持されるため、オフセット部における地絡火災等も確実に防止することができる。また、これによって、上記第二の発明と同様に、オフセット部側の地絡防災シートの強度及び気密性をより向上させることができる。
【００１３】
第五の発明は、上記第三の発明と同様に、上記地絡防災シートをさらに高気密性シートで覆うようにしたものである。これによって、第三の発明と同様に、オフセット部側の地絡防災シートの強度及び気密性をより向上させることができる。
【００１４】
第六の発明は、上記請求項１〜３のいずれかに記載のＯＦケーブル接続部の地絡防災方法と、上記請求項４又は５に記載のオフセット部の地絡防災方法を組み合わせて用いると共に、上記ＯＦケーブル接続部側のトラフのケーブル貫通口と上記オフセット部側のチューブ端部とを接続してそのトラフ内とチューブ内を相互に連通させるようにしたものである。これによって、ＯＦケーブル接続部及びオフセット部の地絡防災を同時に行うことができる。また、トラフ内とチューブ内が相互に連通した状態とすることにより、トラフ内又はチューブ内のいずれか一方で発生した爆風による圧力が他方の避圧空間に相互に逃げあって局部的な圧力上昇が抑制されるため、地絡事故によるトラフやチューブの破損を未然に防止することができる。
【００１５】
第七の発明は、ＯＦケーブル接続部側の地絡防災シート端部と、上記オフセット部側の地絡防災シート端部が連続するように縫い合わせたものである。これによって、ＯＦケーブル接続部側の地絡防災シートとオフセット部側の地絡防災シートとの切れ目がなくなるため、その境界付近の強度や気密性の低下を防止することができる。
【００１６】
【発明の実施の形態】
次に、本発明を実施する好適一形態を添付図面を参照しながら説明する。
【００１７】
図１及び図２は、本発明方法に係るＯＦケーブル接続部及びオフセット部における地絡防災方法の実施の一形態を示したものであり、図中ＣはＯＦケーブル、ＳはこのＯＦケーブルＣ，Ｃ同士の接続部、Ｒはそのオフセット部である。
【００１８】
図示するように、このＯＦケーブル接続部Ｓには、その周囲に一定の避圧空間が区画形成されるように箱状をしたＦＲＰ製のトラフ１が設けられている。そして、このトラフ１の周囲には、アラミド繊維シート２がその全面を均一に覆うようにロール状に巻き付けられており、さらにそのアラミド繊維シート２上にはスリーブ状をした地絡防災シート３が被覆形成されている。
【００１９】
一方、そのオフセット部Ｒには、図１及び図３に示すようにそのＯＦケーブルＣの周囲に一定の避圧空間（隙間）が形成されるようにＯＦケーブルＣよりも径大な可撓性プラスチック等からなるチューブ４で覆われており、さらにそのチューブ４の周囲には同じくスリーブ状をしたアラミド繊維製の地絡防災シート５が被覆形成されている。
【００２０】
また、図１に示すように、このチューブ４の端部はトラフ１端部に形成されたケーブル貫通孔６側に接続されており、このケーブル貫通孔６を介してトラフ１内とチューブ４内が相互に連通した状態となっている。
【００２１】
ここで、本発明で用いられる地絡防災シート３，５は、単なる一枚のアラミド繊維シートではなく、図４に示すように、それぞれアラミド繊維製の外側シート７と内側シート８とを重ね合わせ、その両端部３ａ，３ｂで相互に縫い合わせた二重シートからなっている。
【００２２】
そして、この内側シート８にあっては、上記ケーブルＣの周方向（幅方向）に延びる一つ以上の縫合線１１…を有すると共に、外側シート７にあっては、ケーブルＣの長手方向に延びる一つ以上の縫合線１１…を有するものから形成されている。
【００２３】
すなわち、先ずこの外側シート７は、横長のシート反物１０，１０をケーブルＣの幅方向に並べ、隣接するシート反物１０，１０の縁部同士を相互にミシン縫い等によって縫い合わせて矩形状をした横長の一枚のシート地に形成されたものである。一方、内側シート８は、予め短冊状にカットされた複数枚（本実施の形態にあっては４枚）シート反物９，９，９，９をケーブルＣの軸方向に並列に並べ、同じく隣接するシート反物９，９の縁部同士を相互にミシン縫い等によって縫い合わせて矩形状をした横長の一枚のシート地に形成されたものである。
【００２４】
また、その地絡防災シート３，５の長手方向の両端部３ａ，３ｂは、図５に示すように外側シート７の端部を内側シート８の端部で包み込むように重ね合わせると共にその内側に沿ってワイヤ又は補強ロープ１２を包み、その重ね合わせ部をその長さ方向に沿って縫い合わすことで一体的に形成されるようになっている。そして、図示するようにこの重ね合わせ部に沿って一定の間隔を隔てて金具取付穴１３を複数穿孔すると共に、その両端部３ａ，３ｂを重ね合わせてシート全体をスリーブ状にした後、図６に示すように重ね合わせた両端部３ａ，３ｂ同士を一対の縫製用金具１４，１４で挟むと共にそれら各々の金具取付穴１３を利用して両縫製用金具１４，１４をそれぞれボルト１５，１５…で締結することでスリーブ状をした地絡防災シート３，５を現場において容易に作成することができる。尚、この地絡防災シート３，５は、それぞれ対応する接続部Ｓ及びオフセット部Ｒの径が異なることから接続部Ｓ側の地絡防災シート３側の端部を径合わせのために徐々に絞るようにつまみ縫いしてオフセット部Ｒ側の地絡防災シート５端部側に縫い合わすことで両者がこの縫製部を介して相互に連続した状態となっている。
【００２５】
そして、本発明は上述したような防災方法を採用したことから以下に示すような作用・効果により優れた防災効果を発揮することができる。
【００２６】
先ず、上述したようにオフセット部Ｒ側に可撓性のチューブ４を設け、このチューブ４内と接続部Ｓ側のトラフ１内とを相互に連通した状態としたため、仮にいずれか一方で発生した地絡事故による爆風の圧力がケーブル貫通孔６を介して他方側（長手方向）に瞬時に逃げることができるため、地絡事故が発生した部位の径方向の局所的な圧力上昇が抑制され、その部位のトラフ１又はチューブ４の破損等を防止することが可能となる。これによって接続部Ｓ及びオフセット部Ｒの気密性が維持されるため、仮に地絡に伴って着火が発生しても窒息効果が維持されてその着火が直ちに消火し、着火の継続による火災の発生を未然に防止することができる。
【００２７】
次に、このような方法によっても爆風の圧力が高くトラフ１又はチューブ４が破損してしまった場合であっても、その周囲に設けられた地絡防災シート３，５が地絡事故が発生した接続部Ｓ及びオフセット部Ｒの気密性を維持することができるため、同様に着火が発生してもこの地絡防災シート３，５の窒息効果によって直ちに消火され、火災の発生を確実に防止することができる。また、この地絡防災シート３，５は、上述したように縫合方向の異なる外側シート７と内側シート８とからなり、かつ、比較的強度が弱い縫合部１１，１１…が各シート７，８で互いに交差した状態となっているため、ケーブルの幅方向のみならず、長さ方向に加わる圧力にも十分耐え得ることができる。さらに、この地絡防災シート３，５はその端部３ａ，３ｂ同士を縫製用金具１４及びボルト１５によって連結するようになっているため、現場において容易にトラフ１上に設けることができる。しかも、この端部３ａ，３ｂの連結部は、上述したように縫製用金具１４及びボルト１５によって他の縫合部１１以上に強固に連結されているため、この部分からシート地が破れたり解けたりすることはない。
【００２８】
また、接続部Ｓ側の地絡防災シート３の端部とオフセット部Ｒ側の地絡防災シート５端部は相互に縫い合わされて両者が連続した状態となっているため、その境界付近の強度や気密性の低下も同時に抑制することができる。しかも、接続部Ｓ側の地絡防災シート３の端部が絞られるようにつまみ縫いするに際して用いる縫製糸として、シート３の繊維の強度よりも弱いものを用いれば、爆風が発生した際にシート３が膨らみきる前にこの縫製糸自体が切断されることにより、爆圧の一部が吸収されるため、シート３自体へ加わる爆圧力をより低減することが可能となる。
【００２９】
尚、上述したような地絡防災シート３，５を構成する材料の種類や巻き数、あるいはトラフの厚さ等といった各パラメータは、対象とするＯＦケーブルＣの種類や環境等によって様々に異なってくるため特に限定するものではないが、例えば、２７５ｋＶＯＦケーブルで地絡容量４５ｋＡ×０．４秒の場合、シート内圧の最大圧力上昇は、４．１３ＭＰａ程度、平均圧力上昇は接続部側の地絡防災シート３を直径φ５００ｍｍとした場合、約１．２４ＭＰａ程度と予測される。このため、これに対応したアラミドシート等の仕様は、シートの基本仕様：フィラメント織物：３０００デニール×３０００デニール１７本×１６．５本／インチ、ロールシート巻数：３回程度、接続部トラフ厚さ：６ｍｍ程度となる。
【００３０】
また、図７に示すように、地絡防災シート３，５を構成する各シート７，８の縫合部１１をそれぞれ４重に重ね合わせ、各重ね合わせ毎にミシン縫いを施すようにすれば、仮に爆風によって一部の縫製糸が切れても残りの縫製糸が繋ぎ合ってる限り、シートの気密性が保たれるため、初期の窒息効果を維持することができる。しかも、これら一部の縫製糸が切れることによって爆風の圧力を段階的に軽減することが可能となる。
【００３１】
また、図８に示すように、この縫合部１１を耐火シート（シリカシート）１６で覆うことにより、初期の着火による縫製糸の燃焼・切断を未然に防止することができる。
【００３２】
また、図９に示すように、この地絡防災シート３，５の周囲を高気密性シート１７、例えば、表面にＰＶＣ等をコーティング１８したアラミドシート１９でさらに覆うようにすれば、地絡防災シート３，５自体の気密性を向上させてより窒息効果を向上させることが可能となる。
【００３３】
【発明の効果】
以上要するに本発明によれば、超高圧ＯＦケーブルの接続部及びオフセット部において優れた耐圧性及び気密性を発揮することができるため、地絡事故による高い爆圧や着火が発生した場合であっても、爆圧によるケーブル破損や着火の継続による火災の発生を確実に防止することができる等といった優れた効果を発揮することができる。
【図面の簡単な説明】
【図１】本発明方法の実施の一形態を示す概念図である。
【図２】（ａ）は図１中Ａ−Ａ線断面図である。
（ｂ）は図２（ａ）中Ａ部を示す部分拡大図である。
【図３】（ａ）は図１中Ｂ−Ｂ線断面図である。
（ｂ）は図３（ａ）中Ａ部を示す部分拡大図である。
【図４】本発明方法で用いる地絡防災シートの構造を示す部分破断斜視図である。
【図５】図４中Ａ部を示す部分拡大図である。
【図６】地絡防災シートの端部同士を縫製用金具で繋ぎ合わせた状態を示す説明図である。
【図７】内側シート及び外側シートの縫製部の縫合方法を示す説明図である。
【図８】図４中Ｂ部を示す部分拡大図である。
【図９】本発明に係る地絡防災シートの上に高密度シートを重ねた状態を示す拡大断面図である。
【図１０】従来のＯＦケーブル接続部及びオフセット部における地絡防災方法の一例を示す概念図である。
【符号の説明】
１  トラフ
２  アラミド繊維シート
３，５  地絡防災シート
４  チューブ
６  ケーブル貫通孔
Ｃ  ＯＦケーブル
Ｓ  接続部
Ｒ  オフセット部
【図１】
0003663103.tif 000002
【図２】
0003663103.tif 000003
【図３】
0003663103.tif 000004
【図４】
0003663103.tif 000005
【図５】
0003663103.tif 000006
【図６】
0003663103.tif 000007
【図７】
0003663103.tif 000008
【図８】
0003663103.tif 000009
【図９】
0003663103.tif 000010
【図１０】
0003663103.tif 000011